(57)【要約】【課題】配電系統の一部で電気的な異常や短絡が発生した場合でも、その影響が他の配電系統に及ぶのを解消して、電気的なトラブルを最小限化できる電気機器収納ラック用の配電構造を提供する。【解決手段】電気機器２を収容するラック本体３に対して、電圧が異なる複数の電源を供給する配電構造である。配電構造は、電圧が異なる電源ケーブル２０・２１と、複数個の主分配コンセント２２、および副分配コンセント２３と、複数の高圧給電系統２４と、複数の低圧給電系統２５などで分岐し独立した構造とする。さらに、高圧給電系統２４は、複数の高圧コンセントバー４５を電気的に接続して構成する。各低圧給電系統２５は低圧コンセントバー５５で構成する。主分配コンセント２２および副分配コンセント２３を、ラック本体３の外面に露出する状態で、ラック本体３の上面の装着壁１５に集約配置する。【選択図】図１
2013105874.tif 000002
【特許請求の範囲】
【請求項１】
一群の電気機器（２）を収容するラック本体（３）に対して、電圧が異なる複数の電源を供給する配電構造が設けられており、
配電構造は、高電圧の電源ケーブル（２０）および低電圧の電源ケーブル（２１）と、複数個の高圧電源用の主分配コンセント（２２）と、少なくともひとつの低圧電源用の副分配コンセント（２３）と、ラック本体（３）の内部に配置される複数の高圧給電系統（２４）と、複数の低圧給電系統（２５）とを含み、
主分配コンセント（２２）および副分配コンセント（２３）は、それぞれ箱状の筐体（２６・３６）と、筐体（２６・３６）に組付けた複数の分岐コンセント（２７・３７）を備えており、
各高圧給電系統（２４）は、複数の高圧コンセントバー（４５）を電気的に接続して構成され、各低圧給電系統（２５）は低圧コンセントバー（５５）で構成されており、
主分配コンセント（２２）と電源ケーブル（２０）、および副分配コンセント（２３）と電源ケーブル（２１）とは、各電源ケーブル（２０・２１）から分岐した１次主電源コード（２８）および１次副電源コード（３８）を介して接続されており、
主分配コンセント（２２）と高圧コンセントバー（４５）、および副分配コンセント（２３）と低圧コンセントバー（５５）とが、各分岐コンセント（２７・３７）に接続した複数の２次主電源コード（４６）、および複数の２次副電源コード（５６）を介して接続されており、
主分配コンセント（２２）および副分配コンセント（２３）が、ラック本体（３）の上面に立設した装着壁（１５）に集約配置されて、ラック本体（３）の外の開放空間へ向かって露出してあることを特徴とする電気機器収納ラック用の配電構造。
【請求項２】
１次主電源コード（２８）の中途部に着脱可能なコネクタープラグ（３１）とコネクターソケット（３２）が設けられており、
接続した状態のコネクタープラグ（３１）およびコネクターソケット（３２）が、装着壁（１５）の上部に張り出したコード支持棚（１６）に載置されて、固定具（３３）でコード支持棚（１６）に固定されており、
筐体（２６・３６）を装着壁（１５）に装着した状態における分岐コンセント（２７・３７）が、装着壁（１５）と平行な筐体（２６・３６）の接続壁面（２６ａ・３６ａ）に露出させてある請求項１に記載の電気機器収納ラック用の配電構造。
【請求項３】
ラック本体（３）の内部に設けられる各高圧給電系統（２４）が、複数個の高圧コンセントバー（４５）を電気的に接続して構成されており、
各高圧コンセントバー（４５）は、ラック本体（３）の出入口（５）に臨むラックフレーム（４）に沿って縦列状に固定されており、
各高圧コンセントバー（４５）のソケット（４５ａ）がラック本体（３）の出入口（５）を指向する状態で、各高圧コンセントバー（４５）がラックフレーム（４）に固定してある請求項１または２に記載の電気機器収納ラック用の配電構造。
【請求項４】
電気機器が、ラックフレーム（４）に多段状に配置した一群のサーバー（２）からなり、
ラック本体（３）の上面に、サーバー（２）において熱交換した後の排気を天井空間（８）へ送給案内するダクト構造が設けられており、
ダクト構造は、ラック本体（３）の上壁に固定される四角筒状のダクトベース（１１）と、ダクトベース（１１）の上面に固定されるダクト部（１２）と、ダクトベース（１１）の内部に配置されて前記排気をダクト部（１２）の側へ送給するファンユニット（１３）を備えており、
装着壁（１５）を兼ねるダクトベース（１１）の周囲壁に、主分配コンセント（２２）および副分配コンセント（２３）が集約配置してある請求項１から３のいずれかひとつに記載の電気機器収納ラック用の配電構造。
【発明の詳細な説明】
【技術分野】
【０００１】
本発明は、例えばサーバーラックなどの電気機器収納ラックに設けられる配電構造に関する。配電構造は、分配用コンセントおよびコンセントバーなどの配電器具で構成してある。
【背景技術】
【０００２】
この種の配電構造は、例えば特許文献１に見ることができる。そこでは、電気機器を収納するためのラックの内部に縦長の配線ダクトを配置し、配線ダクトの一部に開口した縦長の窓に多数個の電源コンセントを直線列状に配置している。ラック内に収納した電気機器の電源プラグを電源コンセントに接続することにより、各機器を電源に接続できる。
【０００３】
本発明の配電構造においては、サーバーラックの内部にコンセントバーを配置して、ラック内に収容した各サーバーの電源プラグをコンセントバーに接続するが、この種のコンセントバーは、例えば特許文献２に公知である。そこでは、四角棒状のコンセントバー本体の長手方向に沿って多数個のコンセントを直線列状に配置している。コンセントバー本体の一端には、各コンセントから導出した電線を接続するための端子台が設けてある。コンセントバーは、電気機器を収納するためのラックのフレームに取付けて使用する。
【０００４】
特許文献３には、サーバー、ルーターなどの電気機器を収納するラック用の分電盤ユニットが開示されている。分電盤ユニットは、断面がコ字状の筐体の内部にブレーカーと複数のコンセントを配置し、筐体の開口面を揺動開閉可能に支持されたパネルで覆って構成してある。分電盤ユニットは、ラックのマウントアングルに取付けて使用する。
【先行技術文献】
【特許文献】
【０００５】
【特許文献１】特開２００８−３００７４４号公報（段落番号００１２、図１、図２）
【特許文献２】特開２００４−２９６２２３号公報（段落番号０００９、図１）
【特許文献３】特開２００３−０７０１１０号公報（段落番号００１０、図４）
【発明の概要】
【発明が解決しようとする課題】
【０００６】
特許文献１〜３の配電構造に従うと、サーバーラックに収容した多数個のサーバーの収容台数に見合うコンセントバーをラックフレームに装着して、個々のサーバーに配電することになる。しかし、サーバーラック１台あたりのサーバーの収容台数は多くなる傾向にあり、それに伴いサーバーラック１台あたりのコンセントバーの使用個数は増加しており、全てのコンセントバーを使い勝手のよいスペースに配置するのが難しくなっている。とくに、サーバーラック内にハーフサーバーを収容する場合には、フルサーバーを収容する場合の２倍の数のコンセントが必要となり、コンセントバーをいかに配置するかが問題となる。また、サーバーラックには電源ケーブル以外に通信ケーブルも配線しなければならない。さらに近年では、エネルギー効率を上げ、省電力化を図るためにサーバーの電源として２００Ｖの電源が多用されつつあるが、２００Ｖの電源とは別に、表示装置あるいは空調用ファン等の駆動電源として１００Ｖの電源を用意する必要がある。そのため、ラック内に２００Ｖ用のコンセントバーと、１００Ｖ用のコンセントバーと、通信ケーブルを配置するためのスペースを確保する必要がある。
【０００７】
サーバーラックにおけるサーバーの収容台数が多くなるのに伴って、配電構造における電気的な異常や短絡が問題となる。例えば、電源に近い側に配置したコンセントバーで電気的な異常や短絡が発生し、あるいはトラッキング等により電源プラグが発火した場合には、問題を起したコンセントバーに接続されたコンセントバーにもその影響が及び、一度に多数個のサーバーがダウンしてしまうおそれがある。こうした、電気的なトラブルを解消するには、電源系統をできるだけ分岐して独立させるとよいが、そうすると配電構造が複雑になり、その配置スペースを確保することがさらに困難となる。また、メンテナンスのためにサーバーをラック本体に対して着脱する際に配電構造が邪魔になり、メンテナンス作業に余分な手間がかかるおそれもある。
【０００８】
本発明の目的は、配電系統の一部で電気的な異常や短絡が発生した場合でも、その影響が他の配電系統に及ぶのを解消して、電気的なトラブルを最小限化できる電気機器収納ラック用の配電構造を提供することにある。
本発明の目的は、サーバーラックに対して電圧が異なる複数の電源を供給する場合であっても、分配用コンセントおよびコンセントバーなどの配電器具を無理なく配置でき、しかもメンテナンス作業の手間を軽減できる、使い勝手に優れた電気機器収納ラック用の配電構造を提供することにある。
【課題を解決するための手段】
【０００９】
本発明に係る電気機器収納ラック用の配電構造は、一群の電気機器２を収容するラック本体３に対して、電圧が異なる複数の電源を供給する。配電構造は、高電圧の電源ケーブル２０および低電圧の電源ケーブル２１と、複数個の高圧電源用の主分配コンセント２２と、少なくともひとつの低圧電源用の副分配コンセント２３と、ラック本体３の内部に配置される複数の高圧給電系統２４と、複数の低圧給電系統２５とを含む。主分配コンセント２２および副分配コンセント２３は、それぞれ箱状の筐体２６・３６と、筐体２６・３６に組付けた複数の分岐コンセント２７・３７を備えている。各高圧給電系統２４は、複数の高圧コンセントバー４５を電気的に接続して構成する。各低圧給電系統２５は低圧コンセントバー５５で構成する。主分配コンセント２２と電源ケーブル２０、および副分配コンセント２３と電源ケーブル２１とは、各電源ケーブル２０・２１から分岐した１次主電源コード２８および１次副電源コード３８を介して接続する。主分配コンセント２２と高圧コンセントバー４５、および副分配コンセント２３と低圧コンセントバー５５とは、各分岐コンセント２７・３７に接続した複数の２次主電源コード４６、および複数の２次副電源コード５６を介して接続する。主分配コンセント２２および副分配コンセント２３を、ラック本体３の上面に立設した装着壁１５に集約配置して、ラック本体３の外の開放空間へ向かって露出してあることを特徴とする。
【００１０】
１次主電源コード２８の中途部に着脱可能なコネクタープラグ３１とコネクターソケット３２を設ける。接続した状態のコネクタープラグ３１およびコネクターソケット３２は、装着壁１５の上部に張り出したコード支持棚１６に載置し、固定具３３でコード支持棚１６に固定する。筐体２６・３６を装着壁１５に装着した状態における分岐コンセント２７・３７は、装着壁１５と平行な筐体２６・３６の接続壁面２６ａ・３６ａに露出させる。
【００１１】
ラック本体３の内部に設けられる各高圧給電系統２４は、複数個の高圧コンセントバー４５を電気的に接続して構成する。各高圧コンセントバー４５は、ラック本体３の出入口５に臨むラックフレーム４に沿って縦列状に固定する。各高圧コンセントバー４５のソケット４５ａがラック本体３の出入口５を指向する状態で、各高圧コンセントバー４５をラックフレーム４に固定する。
【００１２】
電気機器は、ラックフレーム４に多段状に配置した一群のサーバー２からなる。ラック本体３の上面に、サーバー２において熱交換した後の排気を天井空間８へ送給案内するダクト構造を設ける。ダクト構造は、ラック本体３の上壁に固定される四角筒状のダクトベース１１と、ダクトベース１１の上面に固定されるダクト部１２と、ダクトベース１１の内部に配置されて、排気をダクト部１２の側へ送給するファンユニット１３を備えている。装着壁１５を兼ねるダクトベース１１の周囲壁に、主分配コンセント２２および副分配コンセント２３を集約配置する。
【発明の効果】
【００１３】
本発明においては、電源ケーブル２０・２１と、複数個の主分配コンセント２２と、副分配コンセント２３と、主分配コンセント２２において分岐される複数の高圧給電系統２４と、副分配コンセント２３において分岐される低圧給電系統２５などで配電構造を構成した。さらに、各高圧給電系統２４は、複数の高圧コンセントバー４５を電気的に接続して構成した。このように、電気機器２用の配電構造を分岐し独立した構造にすると、例えば高圧給電系統２４の一部で電気的な異常や短絡が発生した場合でも、その影響が他の高圧給電系統２４に及ぶのを解消できる。また、分岐されたひとつの給電系統が発火した場合でも、分岐された他の給電系統が延焼するのを防止できる。従って、一度に多数個の電気機器２が作動を停止し、あるいは機能不全に陥るのを解消して、電気的なトラブルを最小限化できる。
【００１４】
また、高圧給電系統２４の一部で電気的な異常や短絡が発生した場合には、機能が損なわれた高圧コンセントバー４５を交換するだけで配電機能を復旧できるので、配電機能の復旧をより少ない手間と時間で迅速に行なえる。さらに、主分配コンセント２２および副分配コンセント２３を装着壁１５に集約配置して、ラック本体３の外面の開放空間へ向かって露出させるので、両コンセント２２・２３の点検、あるいは２次主電源コード４６および２次副電源コード５６の接続あるいは分離操作を、ラック本体３の外の開放空間で簡便に行なうことができる。加えて、配電構造を構成する各部材のうちで、複数の高圧コンセントバー４５および低圧コンセントバー５５のみをラック本体３の内部に配置するので、ラック内で配電構造が占めるスペースを少なくでき、その分だけ配電構造を合理的に配置して、使い勝手を向上できる。
【００１５】
１次主電源コード２８の中途部に着脱可能なコネクタープラグ３１とコネクターソケット３２を設けると、これら両者３１・３２を分離しあるいは接続することで、電源ケーブル２０と配電構造との間の電気的な接続状態を迅速に切換えることができる。従って、ラック本体３に収容した一群の電気機器２の点検あるいは交換などの作業を行う場合に、作業の対象となるラック本体３の電源、あるいは作業対象の給電系統の電源のみを必要に応じて遮断できる。また、稼動中の他のラック本体３における電気機器２の作動を停止する必要がないので、サービスの提供等を継続した状態のままで、電気機器２の点検、交換作業などを行える。
【００１６】
また、コード支持棚１６に載置したコネクタープラグ３１およびコネクターソケット３２を、固定具３３でコード支持棚１６に固定するので、地震等の災害時に１次主電源コード２８が跳ね飛ばされて、コネクタープラグ３１が分離するのを防止できる。また、筐体２６・３６に設けた分岐コンセント２７・３７を、装着壁１５と平行な筐体２６・３６の接続壁面２６ａ・３６ａに露出させるので、２次主電源コード４６の電源プラグ４７の着脱を主分配コンセント２２と正対した状態で的確に行える。同様に、２次副電源コード５６の電源プラグ５７の着脱を副分配コンセント２３と正対した状態で的確に行える。
【００１７】
高圧給電系統２４が、複数個の高圧コンセントバー４５を電気的に接続して構成してあると、電気的な異常や短絡が発生した高圧コンセントバー４５を交換するだけで配電機能を復旧できるので、配電機能の復旧をより少ない手間と時間で迅速に行なえる。また、ソケット４５ａがラック本体３の出入口５を指向する状態で、各高圧コンセントバー４５をラックフレーム４に固定すると、各電気機器２の高圧コンセントバー４５に対する接続や分離を、接続すべきソケット４５ａを目視しながら簡便に、しかも的確に行える。
【００１８】
ラック本体３の上部にダクト構造が設けてあるサーバーラック１において、装着壁１５を兼ねるダクトベース１１の周囲壁に、主分配コンセント２２および副分配コンセント２３を集約配置すると、先の周囲壁を利用する分だけ配電構造を簡素化できる。また、ラック本体３に固定されたダクトベース１１の周囲壁を装着壁１５として利用するので、装着壁１５を別途設ける場合に比べて、サーバーシステムを構築する費用を削減できる。
【図面の簡単な説明】
【００１９】
【図１】本発明に係る配電構造の要部を示す背面図である。
【図２】本発明に係る配電構造を備えたサーバーシステムの背面図である。
【図３】本発明に係るサーバーラックの縦断側面図である。
【図４】本発明に係る配電構造の概略を示す配線説明図である。
【図５】本発明に係る主分配コンセントを示す背面図である。
【図６】本発明に係る高圧コンセントバーの取付構造を示す横断平面図である。
【発明を実施するための形態】
【００２０】
（実施例）  図１ないし図６は、本発明をサーバーシステムに適用した実施例を示す。なお、本発明における前後、左右、上下とは、図２、図３に示す交差矢印と、各矢印の近傍に表記した前後、左右、上下の表示に従う。
【００２１】
図２において、符号１は床に設置されたサーバーラック（電気機器収納ラック）であり、その内部にはサーバー（電気機器）２が多段状に収容してある。サーバーラック１は、ラック本体３と、ラック本体３の内部に設けたラックフレーム４と、ラック本体３の前面および後面の出入口５を開閉する揺動可能なドア６などで構成してある。サーバー２は、フルサーバーに比べて前後寸法が小さなハーフサーバーであって、図３に示すようにラック本体３の前後の出入口５からラックフレーム４に実装されて、排気面同士が間隔をあけて対向する状態で取付けてある。
【００２２】
前後のサーバー２の排気面の間には、各サーバー２から排出された熱気を天井へ向かって流動案内する排気通路７が設けてある。図示していないが、各サーバー２の内部には送風ファンが設けてあり、送風ファンを駆動することにより、ドア６のドアパネル６ａを介してサーバー室内の冷気を吸込み、内部の発熱部品を冷却でき、熱交換後の排気は排気面から排気通路７へ排出できる。排気通路７の左右側面は区画壁で塞いであり、従って、サーバー２から排気通路７に排出された熱気が外へ漏れてサーバーラック１に充満することはない。各サーバー２への冷気の供給を効率よく行うために、ドアパネル６ａはハニカムメッシュで形成してある。
【００２３】
ラック本体３の内部の排気通路７へ放出された排気は、ラック本体３の上部に設けたダクト構造を介して天井空間８へ強制的に送給される。図３に示すようにダクト構造は、ラック本体３の上壁に固定される四角筒状のダクトベース１１と、ダクトベース１１の上面に固定されるダクト部１２と、ダクトベース１１の内部に配置されて、排気通路７内の排気をダクト部１２を介して天井空間８へ送給するファンユニット１３と、導風ダクト１４などで構成してある。ダクトベース１１の後側の周囲壁は装着壁１５を兼ねており、この装着壁１５に後述する主分配コンセント２２、および副分配コンセント２３が集約配置されて、ラック本体３の外の開放空間に露出させてある。各コンセント２２・２３、あるいはコード類の点検作業等を容易化するためである。装着壁１５の上部にはコード支持棚１６がブラケット１９で支持されて、後ろ向きに張出してある（図１参照）。コード支持棚１６は、パンチングメタル、あるいはエキスパンドメタルで形成してある。
【００２４】
ダクト部１２は、ダクトベース１１に固定される固定ダクト１２ａと、固定ダクト１２ａに対して上下スライドする可動ダクト１２ｂとからなり、いずれも不燃ダンボールを素材にして構成してある。ファンユニット１３は複数のファンで構成してある。導風ダクト１４の内部には、排気の吸込み方向を前後に切換えるシャッター１７が配置してある。シャッター１７を図３に示す状態から、時計回転方向へ９０度回動すると、導風ダクト１４の後半部が開放されて、フルサーバーを実装したラック本体３の後部に設けられる排気通路７内の排気を天井空間８へ送給できる。各図において符号１８は、後述する電源ケーブル２０・２１および通信ケーブルなどをラック列に沿って支持するケーブルブルラックである。
【００２５】
図示していないが、天井空間８に達した排気は、別室に設けた空気調和機へ送給されて冷却され、天井内に配置した冷気ダクトを介して戻され、天井に開口した冷気吹出口からサーバー室内へ吹出される。この冷気の循環によって、サーバー２を適温状態に保持している。冷気吹出口は、サーバーラック１のラック列の間の通路に面して天井の多数個所に開口してある。
【００２６】
一群のサーバー２を収容するラック本体３には、各サーバー２を電源ケーブル２０に接続し、さらにファンユニット１３などの補助機器を電源ケーブル２１に接続するための配電構造が設けてある。
【００２７】
図４において配電構造は、３個の高圧電源用の主分配コンセント２２と、低圧電源用の副分配コンセント２３と、ラック本体３の内部に配置される４系統の高圧給電系統２４と、２系統の低圧給電系統２５とを備えている。３個の主分配コンセント２２のうちのひとつは、将来のサーバー増設に備えて設けた予備のコンセントであり、この実施例では、図１に示すように、下段側の主分配コンセント２２を予備用として、２系統の高圧給電系統２４を増設できるようにした。
【００２８】
図５において、主分配コンセント２２は、プレス成形された四角箱状の金属板製の筐体２６と、筐体２６の接続壁面２６ａに組付けた２個の分岐コンセント２７と、１次主電源コード２８を接続するためのケーブルクランプ２９を備えている。主分配コンセント２２は、垂直の装着壁１５に４個のビスで横長姿勢に固定されて、分岐コンセント２７のコンセント口が、装着壁１５と平行な接続壁面２６ａにおいて開口する向きに取付けてある。２個の分岐コンセント２７は、１次主電源コード２８に対して並列接続してある。分岐コンセント２７を、装着壁１５と平行な筐体２６の接続壁面２６ａに露出させると、２次主電源コード４６の電源プラグ４７の着脱を各主分配コンセント２２と正対した状態で的確に行える。
【００２９】
１次主電源コード２８は、２００Ｖの電源を供給する電源ケーブル２０から分岐されており、その中途部がコネクタープラグ３１とコネクターソケット３２を介して、接続ないし分離可能に接続してある。接続した状態のコネクタープラグ３１およびコネクターソケット３２は、装着壁１５の上部のコード支持棚１６に載置されて、結束バンド（固定具）３３で分離不能にコード支持棚１６に固定してある（図１参照）。なお、予備用の主分配コンセント２２も、１次主電源コード２８を介して電源ケーブル２０に接続してある。上記のように、コネクタープラグ３１およびコネクターソケット３２を、結束バンド（固定具）３３でコード支持棚１６に固定すると、地震等の災害時に１次主電源コード２８が跳ね飛ばされて、コネクタープラグ３１が分離するのを防止できる。
【００３０】
副分配コンセント２３は、プレス成形された四角箱状の金属板製の筐体３６と、筐体３６の接続壁面３６ａに組付けた２個の分岐コンセント３７と、１次副電源コード３８を接続するためのソケット３９を備えている。副分配コンセント２３は、垂直の装着壁１５に４個のビスで横長姿勢に固定されて、分岐コンセント３７のコンセント口が、装着壁１５と平行な接続壁面３６ａにおいて開口する向きに取付けてある。これにより、副分配コンセント２３および先の主分配コンセント２２は、それぞれの分岐コンセント２７・３７のコンセント口が、ダクトベース１１の後側の通路に臨む開放空間に向かって開口するように取付けられる。２個の分岐コンセント３７は、１次副電源コード３８に対して並列接続してある。１次副電源コード３８は、１００Ｖの電源を供給する電源ケーブル２１から分岐されており、その導出端に設けたフランジ付きのプラグ４０が、副分配コンセント２３のソケット３９に接続される。
【００３１】
高圧給電系統２４は、２個の高圧コンセントバー４５・４５を直列接続して構成する。高圧コンセントバー４５は、上下に長い四角棒状の本体部に２０個のソケット４５ａを配置した市販品からなる。本体部の上端から、２次主電源コード４６が導出され、その導出端に電源プラグ４７が設けてある。また、本体部の下端には、他の高圧コンセントバー４５を接続するための分配コンセント４８が設けてある。上側に設けた高圧コンセントバー４５の２次主電源コード４６の長さは、主分配コンセント２２に接続するために２ｍに設定してある。これに対し、下側に設けた高圧コンセントバー４５の２次主電源コード４６の長さは、上側の高圧コンセントバー４５に接続するだけであるため０．５ｍと短く設定してある。下側の高圧コンセントバー４５の電源プラグ４７を、上側の高圧コンセントバー４５の分配コンセント４８に接続することにより、上下の高圧コンセントバー４５のそれぞれに２００Ｖの電流が供給される。
【００３２】
４系統の各高圧給電系統２４を構成する高圧コンセントバー４５は、図６に示すように、前後の出入口５・５に臨む状態でラックフレーム４に沿って縦列状に固定してある。詳しくは、ラックフレーム４の上下４個所に取付金具４９をビス５０で固定し、上下に隣接する高圧コンセントバー４５の上端および下端を、それぞれ一対の取付金具４９にビス５１で固定する。ラックフレーム４に固定された高圧コンセントバー４５のソケット４５ａは、ラック本体３の出入口５・５を指向させてある。したがって、各サーバー２から導出したコードの電源プラグ５２を高圧コンセントバー４５に接続する作業を、接続すべきソケット４５ａを目視しながら簡便に行うことができる。また、各サーバー２をラックフレーム４から取外すときに、各サーバー２から導出したコードや電源プラグ５２が出入れの邪魔になることもない。
【００３３】
低圧給電系統２５は、副分配コンセント２３の各分岐コンセント３７に接続した、低圧コンセントバー５５で構成する。低圧コンセントバー５５は、左右に長い四角棒状の本体部に４個のソケット５５ａを配置した市販品からなる。本体部の一端から、２次副電源コード５６が導出され、その導出端に、先の分岐コンセント３７に接続される電源プラグ５７が設けてある。
【００３４】
低圧コンセントバー５５は、ラックフレーム４の上端同士を繋ぐ前後一対のアングル状の鋼材に装着する。そのために、本体部の装着面の左右２個所に磁石を埋設し、磁石の磁気吸着作用で低圧コンセントバー５５を先の鋼材に固定している。２個の低圧コンセントバー５５の２次副電源コード５６の長さは、いずれも２ｍに設定してあり、その一方がラックフレーム４の前側に配置され、他方がラックフレーム４の後側に配置してある。低圧コンセントバー５５は、１００Ｖの電源で作動するファンユニット１３や、ラック本体３に設けられる表示装置、あるいは電動ドライバーなどの電動工具、作業用照明灯等の駆動電源として利用される。図示していないが、ファンユニット１３の電源プラグは、ラックフレーム４の前側に配置した低圧コンセントバー５５に接続してある。なお、各サーバー２とメインコンピュータを接続する通信ケーブルは、ラック本体３とラックフレーム４との間の左右両側の空間を利用して、ラック本体３の内部に引込まれて、各サーバー２に接続してある。
【００３５】
以上のように、サーバー２用の配電構造を分岐し独立した構造にすると、例えば高圧給電系統２４の一部で電気的な異常や短絡が発生した場合でも、その影響が他の高圧給電系統２４に及ぶのを解消できる。従って、一度に多数個のサーバー２が作動を停止し、あるいは機能不全に陥るのを解消して、電気的なトラブルを最小限化できる。分岐されたひとつの給電系統が発火した場合でも、分岐された他の給電系統が延焼するのを防止できる。また、高圧給電系統２４の一部で電気的な異常や短絡が発生した場合には、機能が損なわれた高圧コンセントバー４５を交換するだけで配電機能を復旧できるので、配電機能の復旧をより少ない手間と時間で迅速に行なえる。
【００３６】
配電構造を構成する各部材のうちで、複数の高圧コンセントバー４５および低圧コンセントバー５５のみをラック本体３の内部に配置するので、ラック内で配電構造が占めるスペースを少なくでき、その分だけ配電構造を合理的に配置して、使い勝手を向上できる。コネクタープラグ３１とコネクターソケット３２を分離しあるいは接続することで、電源ケーブル２０と配電構造との間の電気的な接続状態を迅速に切換えることができるので、作業対象のラック本体３の電源、あるいは作業対象の給電系統の電源のみを必要に応じて遮断して、サーバー２の点検あるいは交換などの作業を行うことができる。
【００３７】
装着壁１５を兼ねるダクトベース１１の周囲壁に、主分配コンセント２２および副分配コンセント２３を集約配置するので、先の周囲壁を利用する分だけ配電構造を簡素化できる。また、ラック本体３に固定されたダクトベース１１の周囲壁を装着壁１５として利用するので、装着壁１５を別途設ける場合に比べて、サーバーシステムをより低コストで構築することができる。
【００３８】
前後寸法が大きなフルサーバー２を収容するサーバーラック１においては、フルサーバー２の後壁とサーバーラック１の後壁との間に、各サーバー２から排出された熱気を天井空間８へ向かって案内する排気通路７が設けられる。その場合には、シャッター１７を回動して導風ダクト１４を排気通路７に連通させることにより、排気通路７内の排気を天井空間８へ送給することができる。この場合には、後側の出入口５が壁パネルで閉鎖されるので、フルサーバー２は前側の出入口５から取込んだ冷気で冷却されることになる。
【００３９】
上記の実施例では、ダクトベース１１の周囲壁を利用して装着壁１５としたが、その必要はない。例えば、ダクト構造を備えていないサーバーラックの場合には、ラック本体３の上面に装着壁１５を立設し、そこに主分配コンセント２２と副分配コンセント２３を集約して配置することができる。また、装着壁１５を支持する左右一対の支持脚を利用して、コード支持棚１６を支持することができる。
【００４０】
高圧コンセントバー４５のソケット４５ａの数、および低圧コンセントバー５５のソケット５５ａの数は、いずれも実施例で説明したコンセントバー４５・５５に限るものではない。例えば、３個以上の高圧コンセントバー４５を電気的に接続して各高圧給電系統２４を構成することができる。主分配コンセント２２、および副分配コンセント２３には、各分岐コンセント２７・３７ごとにブレーカーが付加してあってもよい。本発明の配電構造は、サーバー以外にルーター、あるいは通信機器などを収容するラックにも適用できる。
【符号の説明】
【００４１】
２  電気機器（サーバー）
３  ラック本体
４  ラックフレーム
２０  高電圧の電源ケーブル
２１  低電圧の電源ケーブル
２２  主分配コンセント
２３  副分配コンセント
２４  高圧給電系統
２５  低圧給電系統
２６・３６  筐体
２７・３７  分岐コンセント
２８  １次主電源コード
３１  コネクタープラグ
３２  コネクターソケット
３８  １次副電源コード
４５  高圧コンセントバー
５５  低圧コンセントバー
【図１】
2013105874.tif 000003
【図２】
2013105874.tif 000004
【図３】
2013105874.tif 000005
【図４】
2013105874.tif 000006
【図５】
2013105874.tif 000007
【図６】
2013105874.tif 000008